(57)【要約】【課題】通常受信特性を劣化させることなく、チャンネルサーチ動作を安定して行なうことができるテレビ受信回路及びテレビ受信装置を提供することである。【解決手段】ＡＧＣ回路部は、ミキサから出力される中間周波信号の電圧値を所定レベルに設定するための第１の高周波増幅器利得制御信号を出力する第１のＡＧＣ回路と、フィルタから出力される必要周波数帯域信号の電圧値を所定レベルに設定するための第２の高周波増幅器利得制御信号を出力する第２のＡＧＣ回路と、を含み、さらに、第１の高周波増幅器利得制御信号と第２の高周波増幅器利得制御信号のうちのいずれかを選択して高周波増幅器に出力するための切換装置と、を備えている。【選択図】図１
2008205757.tif 000002
【特許請求の範囲】
【請求項１】
受信したテレビ信号を増幅する高周波増幅器と、該高周波増幅器の利得を制御する利得制御信号を出力するＡＧＣ回路部と、増幅した信号を中間周波数に周波数変換するミキサと、該ミキサにより中間周波数に周波数変換された中間周波信号から必要な周波数帯域信号を得るフィルタと、該フィルタから出力される必要周波数帯域信号から映像信号を抽出する復調器と、を備えたテレビ受信回路であって、
前記ＡＧＣ回路部は、ミキサから出力される中間周波信号の電圧値を所定レベルに設定するための第１の高周波増幅器利得制御信号を出力する第１のＡＧＣ回路と、前記フィルタから出力される必要周波数帯域信号の電圧値を所定レベルに設定するための第２の高周波増幅器利得制御信号を出力する第２のＡＧＣ回路と、を含み、
さらに、第１の高周波増幅器利得制御信号と第２の高周波増幅器利得制御信号のうちのいずれかを選択して前記高周波増幅器に出力するための切換装置と、
を備えたことを特徴とするテレビ受信回路。
【請求項２】
前記切換装置は、チャンネルオートサーチ動作時には前記第１の高周波増幅器利得制御信号を、通常受信時には前記第２の高周波増幅器利得制御信号を、選択することを特徴とする請求項１に記載のテレビ受信回路。
【請求項３】
前記切換装置は、前記復調器に入力される信号又は復調器から出力される信号に所定の値以上の妨害波が含まれるときには前記第１の高周波増幅器利得制御信号を、前記復調器に入力される信号が所定の値以下であるときには前記第２の高周波増幅器利得制御信号を、選択することを特徴とする請求項１に記載のテレビ受信回路。
【請求項４】
請求項１乃至３のいずれかに記載のテレビ受信回路を備えたことを特徴とするテレビ受信装置。
【発明の詳細な説明】
【技術分野】
【０００１】
本発明は、テレビ信号を受信するためのテレビ受信回路及び該テレビ受信回路を具備したテレビ受信装置に関するものである。
【背景技術】
【０００２】
従来のテレビ受信回路のブロック図を図２に示す。テレビ受信回路は、アンテナ１で受信したテレビ信号のうち所定の周波数以下の成分のみを通過させるBPF（Band Pass Filter）２と、BPF ２から出力された信号を増幅する高周波増幅器３と、高周波増幅器３の利得を制御する利得制御信号を出力するAGC（Automatic Gain Control）回路７と、増幅した信号を中間周波数に周波数変換するミキサ４と、ミキサ４により中間周波数に周波数変換された中間周波信号から必要な周波数帯域信号を得るSAWF（Surface  Acoustic  Wave  Filter）５と、SAWF ５から出力される必要周波数帯域信号から映像信号を抽出し映像信号に含まれる同期信号を検出する復調器６とを備えている。
【０００３】
また、所望のテレビ信号周波数を中間周波数に周波数変換するため、テレビ信号とともにミキサ４に入力する局部発振周波数を生成するため、PLL(Phase Locked Loop)回路８、OSC(Oscillator)回路９が具備されている。PLL回路８はOSC回路９が所望の局部発振周波数を発振するようにOSC回路９へ周波数制御電圧を出力する。PLL回路８は外部より与えられる周波数データにより基準周波数（局部発振周波数と等しい）を生成する。  
【０００４】
高周波増幅器３の利得を制御する利得制御信号を出力する手法としては、上述したようにミキサ４から出力される中間周波信号の電圧値を所定レベルに設定するための利得制御信号を出力するAGC回路７を用いる第１の従来方法の他、図３に示すようにSAWF ５から出力される必要周波数帯域信号の電圧値を所定レベルに設定するための利得制御信号を出力するAGC回路７を用いる第２の従来方法のいずれかが従来使用されている（特許文献１及び特許文献２参照）。
【特許文献１】特開平７−９９６１４号公報
【特許文献２】特開平２００１−２４４８３６号公報
【発明の開示】
【発明が解決しようとする課題】
【０００５】
しかし、第1の従来方法においては、必要なテレビ信号帯域の帯域外に何らかの妨害信号が存在した場合、AGC回路７で必要なテレビ信号と前記妨害信号とを区別することができないため、必要なテレビ信号の電圧値を所望レベルに保つことが困難となり、受信感度やS/N比などの特性が劣化するという問題があった。
【０００６】
一方、第２の従来方法においては、SAWF ５により妨害信号が除去されたテレビ信号がAGC回路７に入力されるため、妨害信号の有無に関わらず必要なテレビ信号の電圧値を所望レベルに保つことができ、良好なテレビ受信特性を得ることができる。
【０００７】
しかし、必要なテレビ信号が存在せず、かつ、その必要帯域外に不必要なテレビ信号が存在した場合、AGC回路７では必要周波数帯域信号の電圧値を所定レベルに上げるため高周波増幅器３の利得を最大近くにまで上げようと働く。このとき高周波増幅器３やミキサ４に大きなレベルの帯域外テレビ信号が入力されることにより発生する歪みや、レベルが大きすぎるためにSAWF５で完全に除去されないまま復調器に入力される帯域外テレビ信号により、復調器が誤った映像信号を抽出してその同期信号を検出してしまうという問題があった。即ち、チャンネルオートサーチ動作時に、必要なテレビ信号が存在しないにもかかわらず、帯域外のテレビ信号等の影響により、受信帯域内にテレビ信号が存在すると誤判定するという問題があった。
【０００８】
本発明は、上記問題点を解決するためになされたものであり、通常受信特性を劣化させることなく、チャンネルサーチ動作を安定して行なうことができるテレビ受信回路及びテレビ受信装置を提供することである。
【課題を解決するための手段】
【０００９】
第１の発明は、受信したテレビ信号を増幅する高周波増幅器と、該高周波増幅器の利得を制御する利得制御信号を出力するＡＧＣ回路部と、増幅した信号を中間周波数に周波数変換するミキサと、該ミキサにより中間周波数に周波数変換された中間周波信号から必要な周波数帯域信号を得るフィルタと、該フィルタから出力される必要周波数帯域信号から映像信号を抽出する復調器と、を備えたテレビ受信回路であって、前記ＡＧＣ回路部は、ミキサから出力される中間周波信号の電圧値を所定レベルに設定するための第１の高周波増幅器利得制御信号を出力する第１のＡＧＣ回路と、前記フィルタから出力される必要周波数帯域信号の電圧値を所定レベルに設定するための第２の高周波増幅器利得制御信号を出力する第２のＡＧＣ回路と、を含み、さらに、第１の高周波増幅器利得制御信号と第２の高周波増幅器利得制御信号のうちのいずれかを選択して前記高周波増幅器に出力するための切換装置と、を備えたことを特徴とするテレビ受信回路である。
【００１０】
前記切換装置は、チャンネルオートサーチ動作時には前記第１の高周波増幅器利得制御信号を、通常受信時には前記第２の高周波増幅器利得制御信号を、選択することが好ましい。
【００１１】
前記切換装置は、前記復調器に入力される信号又は復調器から出力される信号に所定の値以上の妨害波が含まれるときには前記第１の高周波増幅器利得制御信号を、前記復調器に入力される信号が所定の値以下であるときには前記第２の高周波増幅器利得制御信号を、選択することが好ましい。
【００１２】
第２の発明は、第１の発明のテレビ受信回路を備えたテレビ受信装置である。
【発明の効果】
【００１３】
本発明によれば、アンテナから受信したテレビ信号の状態に関わらず、信号安定したチャンネルサーチ動作を実現、かつ通常受信時には良好な受信特性を維持することが可能となる。
【発明を実施するための最良の形態】
【００１４】
本発明に係るテレビ受信回路を図１を参照して説明する。本発明に係るテレビ受信回路は、アンテナ１で受信したテレビ信号のうち所定の周波数以下の成分のみを通過させるBPF ２と、BPF ２から出力された信号を増幅する高周波増幅器３と、高周波増幅器３の利得を制御する利得制御信号を出力するAGC回路部７Aと、増幅した信号を中間周波数に周波数変換するミキサ４と、ミキサ４により中間周波数に周波数変換された中間周波信号から必要な周波数帯域信号を得るSAWF ５と、SAWF ５から出力される必要周波数帯域信号から映像信号を抽出し映像信号に含まれる同期信号を検出する復調器６とを備えている。
【００１５】
また、所望のテレビ信号周波数を中間周波数に周波数変換するため、テレビ信号とともにミキサ４に入力する局部発振周波数を生成するため、PLL回路８、OSC回路９が具備されている。PLL回路８はOSC回路９が所望の局部発振周波数を発振するようにOSC回路９へ周波数制御電圧を出力する。PLL回路８は外部より与えられる周波数データにより基準周波数（局部発振周波数と等しい）を生成する。  
【００１６】
前記AGC回路部7Aは、ミキサ４から出力される中間周波信号の電圧値を所定レベルに設定するための第１の高周波増幅器利得制御信号を出力する第１のAGC回路７1と、SAWF ５から出力される必要周波数帯域信号の電圧値を所定レベルに設定するための第２の高周波増幅器利得制御信号を出力する第２のAGC回路７2と、を含んでいる。
【００１７】
前記第１及び第２の高周波増幅器利得制御信号は切換装置として働くAGC Switch 10に入力される。また、CPU 11には復調器６からの信号が入力され、CPUは入力された信号を検波して現在の状態がチャンネルオートサーチ動作時であるのか通常受信時であるのかを判断し、AGC切換信号をAGC Switch 10に出力する。AGC Switch 10は入力されたAGC切換信号に基づき、即ち、チャンネルオートサーチ動作時には前記第１の高周波増幅器利得制御信号を、通常受信時には前記第２の高周波増幅器利得制御信号を、選択して高周波増幅器３に出力する。
【００１８】
上記構成としたことにより、チャンネルサーチ時には、隣接チャンネル等の妨害波を誤検出することなく希望波の存在のみを確実に検出でき、安定したチャンネルサーチ動作を実現することが可能となり、かつ、通常受信時には、妨害波の有無にかかわらず常に希望波の信号レベルを一定に保つことができ、良好な受信特性を維持することが可能となる。
【００１９】
上記実施例では、CPU 11は入力された信号を検波して現在の状態がチャンネルオートサーチ動作時であるのか通常受信時であるのかを判断し、AGC切換信号をAGC Switch 10に出力していたが、AGC Switch 10に入力されるべきAGC切換信号はこれに限定されない。
【００２０】
例えば、前記復調器に入力される信号又は復調器から出力される信号をCPU 11が検波し、所定の値以上の妨害波が含まれるとCPU 11が判断したときには前記第１の高周波増幅器利得制御信号を、前記復調器に入力される信号が所定の値以下であるとCPU 11が判断したときには前記第２の高周波増幅器利得制御信号を、AGC Switch 10が選択するためのAGC切換信号をCPU 11がAGC Switch 10に出力するという構成にしても良い。
【００２１】
上記構成としたことにより、例えば、近隣チャンネルの存在、建造物による反射波、雷等により妨害波が含まれるときには前記第１の高周波増幅器利得制御信号を高周波増幅器３に出力することとなる。また、例えば、弱電界では前記第２の高周波増幅器利得制御信号を高周波増幅器３に出力することとなる。妨害波による受信品質の劣化を防ぎ、かつ、弱電感度特性も最良に維持できる。よって、安定したチャンネルサーチ動作を実現し、かつ通常受信時には良好な受信特性を維持することが可能となる。
【００２２】
上述した本発明によるテレビ受信回路をテレビ受像装置や携帯電話端末等のテレビ受信装置に具備することにより、該テレビ受信装置においても安定したチャンネルサーチ動作を実現し、かつ通常受信時には良好な受信特性を維持することが可能となる。
【００２３】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【００２４】
例えば、ミキサ４により中間周波数に周波数変換された中間周波信号から必要な中間周波数帯域信号を得るためにSAWFを用いたが、これに限定されず、所定の周波数を通過させる機能を有するフィルタであれば良い。
【００２５】
また、実施例では、CPU 11はテレビ受信回路に設けられていたが、テレビ受信装置本体にCPU 11を設けても良いことは言うまでもない。
【図面の簡単な説明】
【００２６】
【図１】本発明の実施の形態に係るテレビ受信回路のブロック図である。
【図２】第１の従来方法に係るテレビ受信回路のブロック図である。
【図３】第２の従来方法に係るテレビ受信回路のブロック図である。
【符号の説明】
【００２７】
１  アンテナ、２  BPF、３  高周波増幅器、４  ミキサ、５  SAWF、６  復調器、７  AGC回路、７Ａ  AGC回路部、７１  第１のAGC回路、７２  第２のAGC回路、８  PLL回路、９  OSC回路、１０  AGC Switch、１１  CPU
【図１】
2008205757.tif 000003
【図２】
2008205757.tif 000004
【図３】
2008205757.tif 000005